(57)【要約】【課題】ＬＥＤと導光板の入射面との間に密着のための透明な部材を介在させても、ＬＥＤと導光板との間に位置ずれが発生しない面状ライトユニットを提供する。【解決手段】ＬＥＤ１４と導光板１２を収納するケース１８は、バックフレーム１７とフロントフレーム１１からなる。導光板１２の入射面１２ｇとＬＥＤ１４の出光面の間にはエラストマー１５が介在している。上面１１ｅから下方に延びるバネ機構１１ｇが設けられたフロントフレーム１１で蓋をすると、バネ機構１１ｇが導光板１２の側面１１ｃを押し、導光板１２がバックフレーム１７に固定される。【選択図】図４
2018073673.tif 000002
【特許請求の範囲】
【請求項１】
ケースにＬＥＤと導光板が収納された面状ライトユニットにおいて、
前記ケースは、バックフレームと、前記バックフレームを覆うフロントフレームを含み、
前記フロントフレームは、上面から下方に延びるバネ機構を備え、
前記導光板は、入射面及び前記入射面に直交する出射面を有し、
前記ＬＥＤと前記入射面の間には透明柔軟性部材が介在し、
前記バネ機構は、前記導光板の前記入射面と対向する側面を前記入射面に向かって押すことを特徴とする面状ライトユニット。
【請求項２】
前記導光板は、前記入射面の両脇から突出し前記出射面と平行に伸びる支持部を備え、
前記バネ機構は、前記支持部を前記バックフレームの側壁に当接させる
ことを特徴とする請求項１に記載の面状ライトユニット。
【請求項３】
前記導光板は、前記入射面と前記出射面の間に断面椀状の入射部反射面を備えていることを特徴とする請求項１又は２に記載の面状ライトユニット。
【請求項４】
前記バネ機構は、金属製であり、前記フロントフレームの一部からなり、断面がくの字状であることを特徴とする請求項１から３のいずれか一項に記載の面状ライトユニット。
【請求項５】
前記バネ機構は、樹脂からなり、前記フロントフレームと一体化していることを特徴とする請求項１から３のいずれか一項に記載の面状ライトユニット。
【請求項６】
前記バネ機構は、斜面を有し、前記導光板は、前記入射面と対向する前記側面に斜面を有し、前記フロントフレームを前記バックフレームに被せたとき、前記斜面同士が摺動して前記導光板を前記バックフレームに固定することを特徴とする請求項５に記載の面状ライトユニット。
【発明の詳細な説明】
【技術分野】
【０００１】
本発明は、液晶パネル等を背面から照明する面状ライトユニットに関し、さらに詳しくは、光源と導光板の入射面との間に透明柔軟性部材を配置し、導光板への入射効率を向上させたサイドエッジ型の面状ライトユニットに関する。
【背景技術】
【０００２】
一の側面（入射面）から入射した光を、一の主面（出射面）から出射させる導光板を備えたサイドエッジ型の面状ライトユニットが知られている。この面状ライトユニットでは、光源と導光板を密着させ界面における反射を極力抑え、発光効率を向上させようとする場合がある。例えば、特許文献１の図１には、光源と、導光板と、光源及び導光板を密着させる中間層とを備えた面状ライトユニットが記載されている。
【０００３】
また、サイドエッジ型の面状ライトユニットでは、光源や導光板等を枠状のケースに収納し、導光板の側面を弾性部材で押し、これらをケースに固定することがある。例えば、特許文献２の図１には、導光板の受光部となる側面の反対側の側面と、当該側面に対向する枠体の内壁面との間に設けられた弾性保持部が、導光板を枠体に固定する面状ライトユニットが記載されている。
【先行技術文献】
【特許文献】
【０００４】
【特許文献１】特開２００７−１０３１０１号公報（図１）
【特許文献２】特開２００６−３１８８３０号公報（図１）
【発明の概要】
【発明が解決しようとする課題】
【０００５】
しかしながら、光源となるＬＥＤと導光板の入射面との間に、密着用の中間層として透明な部材を介在させると、ＬＥＤと導光板をケースに収納する際、導光板に対しＬＥＤの位置ずれが発生し易くなる。この位置ずれは、発光効率の低下ばかりでなく、出射面における輝度の不均一を招く。
【０００６】
そこで本発明は、上記課題に鑑みて為されたものであり、ＬＥＤと導光板の入射面との間に密着のため透明な部材を介在させても、ＬＥＤと導光板との間に位置ずれが発生しない面状ライトユニットを提供することを目的とする。
【課題を解決するための手段】
【０００７】
上記課題を解決するため本発明の面状ライトユニットは、ケースにＬＥＤと導光板が収納された面状ライトユニットにおいて、前記ケースは、バックフレームと、前記バックフレームを覆うフロントフレームを含み、前記フロントフレームは、上面から下方に延びるバネ機構を備え、前記導光板は、入射面及び前記入射面に直交する出射面を有し、  前記ＬＥＤと前記入射面の間には透明柔軟性部材が介在し、前記バネ機構は、前記導光板の前記入射面と対向する側面を前記入射面に向かって押すことを特徴とする。
【０００８】
前記導光板は、前記入射面の両脇から突出し前記出射面と平行に伸びる支持部を備え、前記バネ機構は、前記支持部を前記バックフレームの側壁に当接させても良い。
【０００９】
前記導光板は、前記入射面と前記出射面の間に断面椀状の入射部反射面を備えていても良い。
【００１０】
前記バネ機構は、金属製であり、前記フロントフレームの一部からなり、断面がくの字状であっても良い。
【００１１】
前記バネ機構は、樹脂からなり、前記フロントフレームと一体化していても良い。
【００１２】
前記バネ機構は、斜面を有し、前記導光板は、前記入射面と対向する前記側面に斜面を有し、前記フロントフレームを前記バックフレームに被せたとき、前記斜面同士が摺動して前記導光板を前記バックフレームに固定しても良い。
【発明の効果】
【００１３】
本発明の面状ライトユニットでは、先ず透明柔軟性部材を装着した導光板をバックフレームに挿入する。このとき、ＬＥＤ、透明柔軟性部材及びバックライトにはストレスが掛からない。この状態でＬＥＤ、透明柔軟性部材及びバックライトは位置決めが為される。次にフロントフレームをバックフレームに被せると、バネ機構が導光板の一側面を押す。バネ機構は、導光板をバックフレームの底面に平行に移動させ、ＬＥＤと導光板の入射面を透明柔軟性部材に密着させる。この結果、導光板はバックフレームに固定される。すなわちバネ機構による導光板の平行移動は僅かなので、ＬＥＤ、透明柔軟性部材及び導光板は、位置ずれを発生させることなく位置決め固定される。
【００１４】
以上のように、本発明の面状ライトユニットは、ＬＥＤと導光板の間に透明柔軟性部材を介在させても、ＬＥＤと導光板との間に位置ずれが発生しない。
【図面の簡単な説明】
【００１５】
【図１】本発明の第１実施形態として示す面状ライトユニットの分解斜視図である。
【図２】図１で示す面状ライトユニットの平面図である。
【図３】図１で示す面状ライトユニットの内部構造を示す平面図である。
【図４】図１で示す面状ライトユニットの断面図である。
【図５】本発明の第２実施形態として示す面状ライトユニットの断面図である。
【図６】本発明の第３実施形態として示す面状ライトユニットの断面図である。
【図７】本発明の第４実施形態として示す面状ライトユニットの断面図である。
【発明を実施するための形態】
【００１６】
以下、添付図１〜７を参照して本発明の好適な実施形態について詳細に説明する。なお図面の説明において、同一または相当要素には同一の符号を付し、重複する説明は省略する。図面の縮尺等は説明のため適宜変更している。（）に特許請求の範囲で示す発明特定事項を記載する。
【００１７】
（第１実施形態）
図１は、本発明の第１実施形態として示す面状ライトユニット１０の分解斜視図である。面状ライトユニット１０は、フロントフレーム１１、導光板１２、回路基板１３、ＬＥＤ１４、エラストマー１５（透明柔軟性部材）、反射シート１６及びバックフレーム１７を含む。なお、図示していない光学シート１９（図２、図４参照）が導光板１２に積層される。ケース１８（符号は図示していない）は、フロントフレーム１１とバックフレーム１７からなる。ケース１８には他の部材が収納される。
【００１８】
フロントフレーム１１は、上面１１ｅの四辺に側壁１１ａ、１１ｂ、１１ｃ、１１ｄを備えている。なお、側壁１１ｃは、切り曲げ穴１１ｇを通して一部が観察される。側壁１１ｄは、フロントフレーム１１の上面１１ｅに隠れて観察されない。上面１１ｅは、中央部が開口し、側壁１１ｃ側にバネ機構１１ｆと、バネ機構１１ｆを形成するための切り曲
げ穴１１ｇを備えている。
【００１９】
導光板１２は、一の側面が加工された平板である（以下、この加工された部分を入射部１２ａと呼ぶ）。入射部１２ａは、入射面１２ｇと、入射部反射面１２ｈと、支持部１２ｉからなる。入射面１２ｇは、入射部１２ａの長手横行に延びる長方形の平面である。入射部反射面１２ｈは、入射面１２ｇの上下に沿って断面椀状に形成された曲面である（下側の入射部反射面１２ｈは観察できない）。支持部１２ｉは、入射面１２ｇの両脇に設けられ、導光板１２の他の部分と厚さが等しく、他の部分から出射面１２ｆと平行な方向に伸びている。導光板１２の主面は、上側が出射面１２ｆ、下側が反射面１２ｅ（反射面１２ｅは観察できない）であり、出射面１２ｆと反射面１２ｅの間に側面１２ｂ、１２ｃ、１２ｄ（側面１２ｃ、１２ｄは出射面１２ｆに隠されて観察できない）が存在する。
【００２０】
導光板１２の入射面１２ｇ側には、回路基板１３、複数のＬＥＤ１４、エラストマー１５が配列している。回路基板１３は、導光板１２の入射部１２ａの長手方向に延びる平板である。ＬＥＤ１４は、入射部１２ａの長手方向に沿って一列に配列し、回路基板１３に実装される。エラストマー１５は、入射部１２ａの長手方向に延びる一本の四角柱であり、ＬＥＤ１４の出光面と導光板１２の入射面１２ｇとの間に介在し、両者を機械的及び光学的に密着させる。
【００２１】
反射シート１６は、底面１６ｅと、底面１６ｅの三辺に沿って折り曲げられた側壁１６ｂ、１６ｃ、１６ｄからなる。底部１６ｅは導光板１２の反射面１２ｅに空気層を介して接する。側壁１６ｂ、１６ｃ、１６ｄは、両面テープ（図示せず）を介して導光板１２の側面１２ｂ、１２ｃ、１２ｄと接する。
【００２２】
バックフレーム１７は、底面１７ｅと、底面１７ｅの四辺に設けられた側壁１７ａ、１７ｂ、１７ｃ、１７ｄからなる。バックフレーム１７に、導光板１２、回路基板１３、ＬＥＤ１４、エラストマー１５、反射シート１６が収納される。バックフレーム１７は、これらの部材ごとフロントフレーム１１で蓋をされる。
【００２３】
バックフレーム１７の側壁１７ａには回路基板１３が貼り付けられる。エラストマー１５は、弱い粘着性を利用して導光板１２の入射面１２ｇに貼り付けられる。この状態で導光板１２をバックフレーム１７に収納し、エラストマー１５がＬＥＤ１４の出光面に軽く接するようにして、ＬＥＤ１４、エラストマー１５及び導光板１２を位置決めする。最後にフロントフレーム１１でバックフレーム１７に蓋をする。この結果、バネ機構１１ｆが導光板１２の側面１２ｃを押し、支持部１２ｉが側壁１７ａに強く当接し、導光板１２がバックフレーム１７に固定される。
【００２４】
図２は、面状ライトユニット１０の平面図である。図２に示すように、枠状のフロントフレーム１１の中央部から光学シート１９が観察される。なお、図１で図示しなかった光学シート１９は、導光板１２（図１参照）の出射面１２ｆ（図１参照）に積層される（図４参照）。フロントフレーム１１の上辺側（側壁１１ｃ側（図１参照））には、バネ機構１１ｆ（図１参照）を形成するための切り曲げ穴１１ｇが観察される。切り曲げ穴１１ｇからはバックフレーム１７（図１参照）の底面１７ｅが観察される。
【００２５】
図３は、フロントフレーム１１と光学シート１９を取り外した状態の面状ライトユニット１０の平面図である。図３に示すように、導光体１２の出射面１２ｆ、入射部反射面１２ｈ及び支持部１２ｉが観察される。導光板１２の側面１２ｃ側（図１参照）ではバックフレーム１７（図１参照）の底面１７ｅが観察される。導光板１２の入射部１２ａ（図１参照）では、支持部１２ｉに挟まれるようにして、回路基板１３と、回路基板１３上に実装されたＬＥＤ１４と、ＬＥＤ１４の出光面及び導光板１２の入射面１２ｇの間に配置さ
れたエラストマー１５とが観察される。なお、ＬＥＤ１４の左右の隙間からバックフレーム１７の底面１７ｅが観察される。バックフレーム１７の側壁１７ａ〜１７ｄは図示していない。
【００２６】
図４は、図２のＡＡ´線に沿って描いた面状ライトユニット１０の断面図である。なお、説明のため厚み方向（図の縦方向）の拡大率を導光方向（図の横方向）の拡大率より大きくしている。このため、フロントフレーム１１の切り曲げ穴１１ｇの幅（図の横方向）とバネ機構１１ｆの長さ（図の縦方向）が略等しいにも関わらず、切り曲げ穴１１ｇの幅がバネ機構１１ｆの長さより小さくなっているように図示されている（図５〜７についても同様）。
【００２７】
図４に示すように、バックフレーム１７の底面１７ｅには、反射シート１６、導光板１２、光学シート１９が積層している。導光板１２は、図の左側の入射部１２ａにおいて、入射面１２ｇと入射部反射面１２ｈが観察される。入射面１２ｇは平面である。入射部反射面１２ｈは、入射面１２ｇの上下に設けられ、断面が椀状（２次曲線）の曲面となる。また、入射面１２ｇにはエラストマー１５の右側の面が密着している。エラストマー１５の左側の面は、ＬＥＤ１４の発光面（ＬＥＤ１４の右側の面）に密着している。なおエラストマー１５は圧力がかかっているため変形しているが、この変形については図示していない。ＬＥＤ１４は回路基板１３に実装されている。回路基板１３は、図示していない両面テープによりバックフレーム１７の側壁１７ａに貼りついている。
【００２８】
図４に示すように導光板１２の右側では、反射シート１６の側壁１６ｃが図示していない両面テープにより側面１２ｃに貼りついている。側壁１６ｃにはバネ機構１１ｆの頂部が接している。バネ機構１１ｆは、フロントフレーム１１の上面１１ｅから下方向に垂れ下がっており、断面がくの字状をなしている。このバネ機構１１ｆは、フロントフレーム１１の上面１１ｅに切り曲げ穴１１ｇを開けて得られた部材を断面くの字状に加工したものであり、切り曲げ穴１１ｇの左端に上端が接続している。
【００２９】
図４においてフロントフレーム１１でバックフレーム１７に蓋をすると、バネ機構１１ｆが反射シート１６を介して導光板１２を図の左側に押す。この結果、エラストマー１５に圧力が加わり、ＬＥＤ１４の出光面と導光板１２の入射面１２ｇが完全に密着する。このとき図示していない導光板１２の支持部１２ｉは、バックフレーム１７の側壁１７ａに強く当接する。なお、エラストマー１５は柔軟性が高いため、エラストマー１５がＬＥＤ１４の出光面を押す力は、側壁１７ａを押す力に比べて著しく小さくなる。ただしエラストマー１５自体はこの力で導光板１２等に対し完全に固定される。振動などによりエラストマー１５の上下方向への移動が懸念される場合、エラストマー１５が嵌まり込むような溝を導光板１２（図４では入射面１２ｇの位置）に形成しても良い（この場合、溝の底（図４に当該溝を描いたら右側の面となる。）が入射面となる）。
【００３０】
フロントフレーム１１及びバックフレーム１７は、厚さが０．２〜０．６ｍｍのアルミニウム板からなる。図４に示すように、バネ機構１１ｆの頂部、導光板１２の中心線（厚み方向の中央）及びＬＥＤ１４の中心軸が一直線上に並ぶと、導光板１２やエラストマー１５等に不必要なモーメントが掛からなくなる。また、反射シート１６の側壁１６ｃとバックフレーム１７の側壁１７ｃの間にバネ（ゴム、板バネ、スプリングなど）を挿入したり、側壁１７ｃ側からネジで導光板１２を押したりして、バネ機構１１ｆを補助しても良い。
【００３１】
導光板１２は、厚さが２．０〜３．０ｍｍでポリカーボネートやアクリルなどからなり、出射面１２ｆにおける輝度が均一になるよう場所によって直径を変えたドット（図示せず）が反射面１２ｅに形成されている。このドットは、レーザー加工により形成された凹
部であり、直径が５０〜５００μｍである。回路基板１３はポリイミドをベースとするＦＰＣ（フレキシブルプリンテッドサーキット）である。
【００３２】
ＬＥＤ１４は、インターポーザとなるサブマウント基板にＬＥＤダイを実装し、当該ＬＥＤダイの周囲を封止樹脂で被覆したパッケージ品である。ＬＥＤ１４は、一のＬＥＤ１４が蛍光樹脂（蛍光体を含有した封止樹脂）と青色発光ダイオードの組み合わせにより白色で発光するものであっても良いし、３個のＬＥＤ１４の組が赤色発光ＬＥＤと緑色発光ＬＥＤと青色発光ＬＥＤからなり白色発光するものであっても良い。ＬＥＤ１４の電極は、回路基板１３に形成された電極に半田等で接続される。
【００３３】
エラストマー１５は、柔軟性の高いシリコーン樹脂からなり、圧縮変形してＬＥＤ１４の出光面及び導光板１２の入射面１２ｇを光学的及び機械的に接続するとともに、導光板１２等の形状誤差や温度特性による熱膨張変形を吸収する。例えば、エラストマー１５は、ヤング率を０．１〜１Ｍｐａ程度にすると良い。ヤング率がこの値であると熱膨張等でＬＥＤ１４に対し１０Ｍｐａ程度の圧力が発生する。しかしながらＬＥＤ１４は１００Ｍｐａ程度でまで破壊しないので、１０Ｍｐａ程度の圧力であれば不具合は生じない。またエラストマー１５は、導光板１２の屈折率と同程度、すなわちその屈折率が１．４〜１．６であることが好ましい。
【００３４】
反射シート１６は、白色ＰＥＴからなり、厚さが２００μｍである。図示していない両面テープは、透明ＰＥＴシートの両面に粘着層を備え、厚さが１００μｍである。光学シート１９は、拡散シートやプリズムシートであり、導光板１２の出射面１２ｆ上に積層される。
【００３５】
ＬＥＤ１４から出射する光は、エラストマー１５に入射し、その後エラストマー１５から入射面１２ｇを経て導光板１２の内部に侵入する。入射面１２ｇに小さな入射角で侵入した光は、上下の主面（出射面１２ｆと反射面１２ｅ）の間で反射を繰り返しながら導光板１２内を伝搬する。入射面１２ｇから大きな入射角で侵入する光は、入射部反射面１２ｈで全反射し、その後上下の主面の間で反射を繰り返しながら導光板１２内を伝搬する。導光板１２内を伝搬する光は、反射面１２ｅに形成されたドットにより進行方向が変えられ、出射面１２ｆから導光板１２の外部に出射する。
【００３６】
良く知られているように、屈折率ｎ１の媒質から屈折率ｎ２の媒質に光が侵入しようとすると、
Ｒ＝|ｎ１−ｎ２|／（ｎ１＋ｎ２）
で示される反射が発生する（Ｒは反射率の平方根）。面状ライトユニット１０では、ＬＥＤ１４の封止樹脂、導光板１２及びエラストマー１５の屈折率がともに１．４〜１．５程度であるため、反射による損失がほとんど発生しない。この結果、面状ライトユニット１０では、反射による損失が大幅に低減するため発光効率が向上する。
【００３７】
前述のように面状ライトユニット１０では、まず、ＬＥＤ１４が実装された回路基板１３をバックフレーム１７の側壁１７ａに貼り付ける。このとき図４に示すように、ＬＥＤ１４の光軸（ＬＥＤ１４の発光面の中心を通り、当該発光面に垂直な軸）と、導光板１２の中心線（厚み方向でみて中央の高さ）が一致するようにする。次にエラストマー１５及び反射シート１６を貼り付けた導光板１２をバックフレーム１７の底面１７ｅ上に水平に置く。そしてバックフレーム１７を水平にずらしてエラストマー１５をＬＥＤ１４の発光面に軽く当接させる。この結果、導光板１２、ＬＥＤ１４及びエラストマー１５が位置合わせされる。その後、光学シート１９を導光板１２に積層したら、フロントフレーム１１で蓋をする。このとき、バネ機構１１ｆが導光板１２を水平方向に押し移動させるが、導光板１２の移動距離が僅かであるため位置合わせした状態は維持される。
【００３８】
以上のようにして面状ライトユニット１０は、導光板１２、ＬＥＤ１４及びエラストマー１５の間で位置ずれが抑制される。すなわち面状ライトユニット１０は、ＬＥＤ１４と導光板１２の入射面１２ｇとの間に密着のためエラストマー１５を介在させても、ＬＥＤ１４と導光板１２との間に位置ずれが発生しない。この結果、組み立てが容易でありながら、発光効率及び均一性が良好な面状ライトユニット１０が得られる。
【００３９】
（第２実施形態）
図１〜４に示した面状ライトユニット１０では、バネ機構１１ｆを形成するための切り曲げ穴１１ｇをフロントフレーム１１の上面１１ｅに設けていた。しかしながら切り曲げ穴の形成部位はフロントフレームの上面のみに限られない。そこで図５により、本発明の第２実施形態として、バネ機構を形成する切り曲げ穴がフロントフレームの上面から側壁にまで及ぶ面状ライトユニット２０について説明する。
【００４０】
図５は、面状ライトユニット２０の図２のＡＡ´線に相当する位置における断面図である。なお、面状ライトユニット２０と面状ライトユニット１０の構造の差異が僅かであるため、面状ライトユニット２０の説明において分解斜視図及び平面図は図示していない。
【００４１】
図５に示されるように、面状ライトユニット２０は、フロントフレーム２１の切り曲げ穴２１ｇのみが、図４に示した面状ライトユニット１０のフロントフレーム１１と異なっている。すなわち、切り曲げ穴２１ｇは、フロントフレーム２１の上面２１ｅから側壁２１ｃまで及んでいる。このようにするとバネ機構２１ｆを形成するための部分を側壁２１ｃからも確保できる。このことは、導光板１２の側面１２ｃとバックフレーム１７の側壁１７ｃまでの距離を小さくできることを意味する。この結果、面状ライトユニット２０は、切り曲げ穴２１ｇを上面２１ｅから側壁２１ｃまで及ぶようにすることにより小型化する。
【００４２】
（第３実施形態）
図１〜４に示した面状ライトユニット１０では、フロントフレーム１１に形成された切り曲げ穴１１ｇのＬＥＤ１４側でバネ機構１１ｆが上面１１ｅに接続していた。しかしながらフロントフレームにおいて、バネ機構と上面との接続位置は切り曲げ穴のＬＥＤ１４側に限られない。そこで図６により、本発明の本発明の第３実施形態として、バネ機構とフロントフレームの上面との接続位置が、切り曲げ穴のＬＥＤ１４側とは反対側に設けられた面状ライトユニット３０について説明する。
【００４３】
図６は、面状ライトユニット３０の図２のＡＡ´線に相当する位置における断面図である。なお、面状ライトユニット３０と面状ライトユニット１０の構造の差異が僅かであるため、面状ライトユニット３０の説明において分解斜視図及び平面図は図示していない。
【００４４】
図６に示されるように、面状ライトユニット３０は、フロントフレーム３１の上面３１ｅとバネ機構３１ｆとの接続部位が、図４に示した面状ライトユニット１０のフロントフレーム１１と異なっている。すなわち、面状ライトユニット３０では、フロントフレーム３１に形成された切り曲げ穴３１ｇの側壁３１ｃ側（ＬＥＤ１４とは反対側）でバネ機構３１ｆがフロントフレーム３１の上面３１ｅと接続している。このようにすると、切り曲げ穴３１ｇを通してバネ機構３１ｆが導光板１２の側面１２ｃを押す様子が観察できるようになる。なお、図６では、図４に対し導光板１２の側面１２ｃ及び反射シート１６の側壁１６ｃを、切り曲げ穴３１ｇの幅の分だけ右側に移動させている。
【００４５】
（第４実施形態）
第１〜３実施形態として示した面状ライトユニット１０、２０、３０では、フロントフ
レーム１１、２１、３１及びバネ機構１１ｆ、２１ｆ、３１ｆが金属製であった。しかしながらフロントフレーム及びバネ機構は金属に限らず樹脂であっても良い。そこで図７により、本発明の本発明の第４実施形態として、フロントフレーム及びバネ機構が樹脂からなる面状ライトユニット４０について説明する。
【００４６】
図７は、面状ライトユニット４０の図２のＡＡ´線に相当する位置における断面図である。なお、面状ライトユニット４０と面状ライトユニット１０の構造の差異が僅かであるため、面状ライトユニット４０の説明において分解斜視図及び平面図は図示していない。
【００４７】
図７に示されるように、面状ライトユニット４０は、フロントフレーム４１のバネ機構４１ｆ周りの構造が、図４に示した面状ライトユニット１０のフロントフレーム１１と異なっている。すなわち図７に示されるように、バネ機構４１ｆは、ＬＥＤ１４側に第１の斜面（上側の斜面）と第２の斜面（下側の斜面）、側壁４１ｃ側に垂直面を有する板状の部分であり、上面４１ｅから下方に垂れ下がっている。なお、導光板１２の側面１２ｃと第１の斜面が当接するよう、導光板１２の側面１２ｃを斜面としている。バネ機構４１ｆは、紙面方向に複数に分割されていても良い。
【００４８】
バネ機構４１ｆは、フロントフレーム４１をバックフレーム１７に被せたとき、バネ機構３１の第１の斜面と、斜面を為す導光板１２の側面１２ｃとが摺動して導光板１２をＬＥＤ１４側に押して移動させる。この結果、導光板１２がバックフレーム１７に固定される。
【００４９】
面状ライトユニット１０、２０、３０、４０において支持部１２ｉは、バックフレーム１７に対して導光板１２を支持するとともに、ＬＥＤ１４に必要以上の押圧力がかからないようにしている。導光板１２をエラストマー１５の反発力だけで支持固定できる場合は支持部１２ｉを省略することが可能である。
【００５０】
また導光板１２は入射部１２ａに入射部反射面１２ｈを備えていた。入射部反射面１２ｈは、入射面１２ｇに大きな入射角で侵入した光を全反射させ、導光板１２から漏れ出そうとする光を低減し、発光効率を向上させるものである。この損失を無視できる場合は、入射部反射面１２ｈを省略することができる。
【符号の説明】
【００５１】
１０、２０、３０、４０…面状ライトユニット、
１１、２１、３１、４１…フロントフレーム、
１１ａ〜１１ｃ、２１ｃ、３１ｃ、４１ｃ…側壁、
１１ｅ、２１ｅ、３１ｅ、４１ｅ…上面、
１１ｆ、２１ｆ、３１ｆ、４１ｆ…バネ機構、
１１ｇ、２１ｇ、３１ｇ…切り曲げ穴、
１２…導光板、
１２ａ…入射部、
１２ｂ〜１２ｄ…側面、
１２ｅ…反射面、
１２ｆ…出射面、
１２ｇ…入射面、
１２ｈ…入射部反射面、
１２ｉ…支持部、
１３…回路基板、
１４…ＬＥＤ、
１５…エラストマー（透明柔軟性部材）、
１６…反射シート、
１６ｂ〜１６ｄ…側壁、
１６ｅ…底面、
１７…バックフレーム、
１７ａ〜１７ｄ…側壁、
１７ｅ…底面、
１８…ケース、
１９…光学シート。
【図１】
2018073673.tif 000003
【図２】
2018073673.tif 000004
【図３】
2018073673.tif 000005
【図４】
2018073673.tif 000006
【図５】
2018073673.tif 000007
【図６】
2018073673.tif 000008
【図７】
2018073673.tif 000009